(57)【特許請求の範囲】
【請求項１】
複数のユーザそれぞれに対する有料番組の購入上限金額を特定ユーザによって設定させるための設定手段、
上記各ユーザ毎に、設定された購入上限金額および現在までの有料番組の購入金額合計を不揮発性メモリに記憶させる手段、
特定ユーザによって購入金額上限が設定された各ユーザ別に、通常の電源キー以外であって互いの異なるキーが電源投入キーとして割り当てられており、電源投入時にいずれのキー操作によって電源が投入されたかに基づいていずれのユーザが電源を投入したかを判別する手段、
有料番組が選局された際または有料番組を購入する際には、電源を投入したと判別したユーザに対する購入上限金額から当該ユーザの現在までの有料番組の購入金額合計を差し引いた差額が、今回選局された有料番組の視聴料金以上であるか否かを判別する手段、
上記差額が今回選局された有料番組の視聴料金未満である場合には、当該有料番組の購入を禁止させる手段、
上記差額が今回選局された有料番組の視聴料金以上である場合には、当該有料番組の購入を許可する手段、ならびに
当該有料番組の購入が許可された場合において、当該ユーザが当該有料番組を購入した場合には、当該ユーザの現在までの有料番組の購入金額合計を、今回購入した有料番組の視聴料金を加えた金額に更新させる手段、
を備えているデジタルテレビ放送受信機。
【請求項２】
通常の電源キー操作によって電源が投入された場合には、有料番組の購入を禁止させる手段を備えていることを特徴とする請求項１に記載のデジタルテレビ放送受信機。
【発明の詳細な説明】
【０００１】
【発明の属する技術分野】
本発明は、たとえば、衛星を介して伝送されるデジタルテレビ放送を受信するデジタルテレビ放送受信機に関する。
【０００２】
【従来の技術】
ＣＳデジタルテレビ放送受信機では、ＰＰＶ番組等の有料番組の購入情報は１枚のＩＣカードに記録される。そして、ＩＣカードに記録された購入情報は、モデムおよび公衆電話回線を介して放送事業者のセンターにアップロードされ、課金管理が行われる。
【０００３】
ところで、ＣＳデジタルテレビ放送受信機を複数のユーザが利用する場合には、視聴料金を支払う特定のユーザが知らない間に、他のユーザが有料番組を購入し、予期していない程の多額の視聴料金が課せられるといったことも起こりうる。
【０００４】
【発明が解決しようとする課題】
この発明は、１台のＣＳデジタルテレビ放送受信機を複数のユーザが利用する場合に、各ユーザの有料番組の購入金額の上限を設定でき、各ユーザによる有料番組の購入金額に制限をかけることができるデジタルテレビ放送受信機を提供することを目的とする。
【０００５】
また、この発明は、１台のＣＳデジタルテレビ放送受信機を複数のユーザが利用する場合に、特定の一人のユーザが、他のユーザの有料番組の購入金額の上限を設定でき、他のユーザによる有料番組の購入金額に制限をかけることができるデジタルテレビ放送受信機を提供することを目的とする。
【０００６】
【課題を解決するための手段】
この発明による第１のデジタルテレビ放送受信機は、複数のユーザそれぞれに対する有料番組の購入上限金額を特定ユーザによって設定させるための設定手段、上記各ユーザ毎に、設定された購入上限金額および現在までの有料番組の購入金額合計を不揮発性メモリに記憶させる手段、特定ユーザによって購入金額上限が設定された各ユーザ別に、通常の電源キー以外であって互いの異なるキーが電源投入キーとして割り当てられており、電源投入時にいずれのキー操作によって電源が投入されたかに基づいていずれのユーザが電源を投入したかを判別する手段、有料番組が選局された際または有料番組を購入する際には、電源を投入したと判別したユーザに対する購入上限金額から当該ユーザの現在までの有料番組の購入金額合計を差し引いた差額が、今回選局された有料番組の視聴料金以上であるか否かを判別する手段、上記差額が今回選局された有料番組の視聴料金未満である場合には、当該有料番組の購入を禁止させる手段、上記差額が今回選局された有料番組の視聴料金以上である場合には、当該有料番組の購入を許可する手段、ならびに当該有料番組の購入が許可された場合において、当該ユーザが当該有料番組を購入した場合には、当該ユーザの現在までの有料番組の購入金額合計を、今回購入した有料番組の視聴料金を加えた金額に更新させる手段を備えていることを特徴とする。
【０００７】
通常の電源キー操作によって電源が投入された場合には、有料番組の購入を禁止させる手段を設けてもよい。
【０００８】
【発明の実施の形態】
【０００９】
図１は、デジタルテレビ放送受信機の構成を示している。
【００１０】
アンテナ１で受信された信号は、チューナー２で衛星の特定のトランスポンダーが選局される。選局されたトランスポンダーの信号は、ＱＰＳＫ復調回路３でデジタル信号に復調され、エラー訂正回路４でエラー訂正された後、デスクランブル回路５に入力される。
【００１１】
デスクランブル回路５では、有料放送など暗号化されている信号を必要に応じてデスクランブルし、暗号を解き視聴できる信号に変換する。この様にしてデスクランブルされた信号は、デマルチプレクサ６でフィルタリングされ、トランスポートストリームの中に含まれている複数のチャンネルの映像信号の中から現在選択されているチャンネルのＭＰＥＧ映像信号およびＭＰＥＧオーディオ信号がＭＰＥＧデコーダ７に送られる。
【００１２】
ＭＰＥＧデコーダ７では、送られてきたＭＰＥＧ信号を復調し映像信号および音声信号として出力する。またデマルチプレクサ６では、選局および受信機の制御に必要な情報ならびに電子番組案内（ＥＰＧ）を表示するために必要な各種の情報がトランスポートストリームの中からフィルタリングされて取り出される。受信機はこれらの情報に基づいて選局を行ったり電子番組案内を表示したりする。
【００１３】
上記のデスクランブル回路５で暗号を解除するための鍵情報はＩＣカードインターフェース１４を通して接続されているＩＣカード３０から抽出される。このＩＣカード３０には、鍵情報の他、ユーザの認識情報、視聴履歴等も保持されている。視聴履歴は、モデム１０を介して適時、放送事業者のセンターに送られ課金管理が行われる。
【００１４】
ユーザはリモートコントローラ（以下、リモコンという）４０を用いて受信機の操作を行う。リモコン４０からの操作情報はリモコン受光部１５を介して受信機に取り込まれる。
【００１５】
オンスクリーン表示（ＯＳＤ）回路１６は、電子番組案内等の各種情報を提供するためのオンスクリーン表示情報を生成する。ＯＳＤ回路１６で生成されたオンスクリーン表示情報は、ＭＰＥＧ復調された映像信号と合成回路８で合成されＮＴＳＣエンコーダ９でＮＴＳＣ信号に変換されモニタへと送られる。
【００１６】
受信機を構成する各機器はＣＰＵ２０によって制御される。ＣＰＵ２０は、そのプログラム等を記憶するプログラムＲＯＭ１１、プログラムが動作するための作業メモリとして用いられるＲＡＭ１２、ユーザが予約した番組に関する予約番組情報、パスワード等の不揮発性が要求される情報等を記憶するＥＥＰＲＯＭ１３を備えている。プログラムＲＯＭ１１には、Ｇコード算出プログラムも記憶されている。ＲＡＭ１２には、受信したＥＰＧ情報も記憶される。
【００１７】
この実施の形態では、１台のデジタルテレビ放送受信機を複数のユーザが利用する場合に、メインユーザが各ユーザ（メインユーザおよび他のサブユーザ）の有料番組の購入金額の上限を設定できる。
【００１８】
図２は、利用者設定方法を示している。
【００１９】
この利用者設定は、特定の一人のユーザ（以下、メインユーザという）のみが行えるようになっている。ここでは、既に、メインユーザが、暗証番号を登録しているものとする。
【００２０】
図２（ａ）に示すメニュー画面から利用者設定ボタン５１を選択すると、図２（ｂ）に示すような、暗証番号入力画面が表示される。メインユーザが、暗証番号を入力すると、予め登録されている暗証番号と比較され、入力された暗証番号と予め登録されている暗証番号とが一致した場合には、図２（ｃ）に示すような利用者設定画面が表示される。
【００２１】
この例では、利用者設定画面には、４人のユーザ（USER1 〜USER4)毎に、有効/ 無効チェックボックス、上限金額の入力ボックス、現在までの金額（現在までの有料番組の購入金額合計）および現在までの金額をクリアするためのクリアボタンがそれぞれ設けられている。また、利用者設定画面には、メインメニュー画面に戻るための戻るボタンが設けられている。
【００２２】
利用者設定画面において必要な情報を入力した後に、戻るボタンを押すと、その設定内容がＥＥＰＲＯＭ１３に記憶される。
【００２３】
なお、USER1 〜USER4 それぞれに対して、電源をオンさせるための数値キーが割り当てられている。ここでは、説明の便宜上、USER1 〜USER4 に、それぞれ、数値キー”1 ”〜”4 ”が割り当てられているものとする。
【００２４】
ただし、数値キー入力によって電源がオンされるのは、利用者設定画面において、有効／無効チェックボックスがチェックされているUSERのみできるようになっている。したがって、図２（ｃ）に示すように、USER1 〜USER4 のうち、USER1 とUSER３に対する有効／無効チェックボックスのみがチェックされている場合には、USER1 に割り当てられた数値キー”１”がオンされた場合またはUSER３に割り当てられた数値キー”３”がオンされた場合には、電源が入れられるが、USER2 またはUSER4 に割り当てられた数値キー”2 ”または”４”がオンされた場合には電源は入れられない。
【００２５】
また、通常の電源キーをオンすることによっても、電源が入れられる。しかしながら、電源キーがオンされることによって電源が入れられた場合には、有料番組の購入を行うことはできないようになっている。
【００２６】
図３および図４は、視聴制御処理手順を示している
【００２７】
電源オン要求があった場合には（ステップ１）、電源キーによる電源オン要求か、数値キー”１”〜”４”による電源ＯＮ要求であるかを判別する（ステップ２）。
【００２８】
電源キーによる電源オン要求である場合には、電源をオンにさせるとともに、ログインＩＤとしてゲストＩＤ（一時利用者を示すＩＤ）を保持する（ステップ３）。
【００２９】
数値キー”１”〜”４”による電源オン要求である場合には、その数値キーが利用者設定によって有効となっているユーザ（以下、登録済ユーザという）に対応する数値キーであるか否かが判別される（ステップ4 ）。入力された数値キー”１”〜”４”が利用者設定によって有効となっていないユーザに対する数値キーである場合には、ステップ１に戻る。この場合には、電源はオンされない。
【００３０】
入力された数値キー”１”〜”４”が利用者設定によって有効となっているユーザ対する数値キーである場合には、電源をオンにさせるとともに、ログインＩＤとして入力された数値キーに対応するユーザＩＤ（USER1 〜USER4 を表すID) を保持する（ステップ５）。
【００３１】
電源が入れられると、選局動作を行う（ステップ６）。これにより、映像・音声が出力される。そして、選局されている番組がＰＰＶ番組であるか否かを判別する（ステップ７）。
【００３２】
選局されている番組がＰＰＶ番組である場合には、ログインＩＤとしてユーザＩＤが記憶されているか否かを判別する（ステップ８）。ログインＩＤとしてユーザＩＤが記憶されている場合には、当該ＰＰＶ番組の視聴料金が、ユーザＩＤで示されるUSERの購入可能範囲内か否かを判別する（ステップ９）。つまり、まず、ユーザＩＤに対応する利用者設定内容をＥＥＰＲＯＭ１３から読み出して、購入上限から現在までの金額を差し引いて、購入可能範囲（購入上限−現在までの金額）を算出する。そして、当該ＰＰＶ番組の視聴料金が、購入可能範囲内か否かを判別する。
【００３３】
当該ＰＰＶ番組の視聴料金が、ユーザＩＤで示されるUSERの購入可能範囲内である場合には、購入選択画面を表示する（ステップ１０）。
【００３４】
購入選択画面に基づいて、購入手続きが行われた場合には（ステップ１１でＹＥＳ）、ＥＥＰＲＯＭ１３内の当該ユーザＩＤに対応する現在までの金額を更新させる（ステップ１２）。つまり、当該ユーザＩＤに対応する現在までの購入金額を、それまでの金額に今回購入したＰＰＶ番組の視聴料金を加算した金額に更新する。
【００３５】
番組が継続して提示される（ステップ１３）。この後において、選局操作が行われた場合または番組が更新された場合には（ステップ１４）、ステップ６に戻る。ただし、番組が更新された場合には、選局動作は行われず、ステップ７に移行する。電源がオフされた場合には（ステップ１５）、ログインＩＤをクリアした後（ステップ１６）、ステップ１に戻る。
【００３６】
上記ステップ７において、選局された番組がＰＰＶ番組でない場合、つまり、無料番組である場合には、ステップ１３に移行し、当該番組が継続して呈示される。
【００３７】
上記ステップ８において、ログインＩＤとしてユーザＩＤが記憶されていない場合、つまり、ログインＩＤとしてゲストＩＤが記憶されている場合には、購入不可を示すメッセージを表示する（ステップ１７）。この後において、選局操作が行われた場合または番組が更新された場合には（ステップ１８）、ステップ６に戻る。ただし、番組が更新された場合には、選局動作は行われず、ステップ７に移行する。
【００３８】
上記ステップ９において、当該ＰＰＶ番組の視聴料金が、ユーザＩＤで示されるUSERの購入可能範囲内でない場合にも、購入不可を示すメッセージを表示する（ステップ１７）。この後において、選局操作が行われた場合または番組が更新された場合には（ステップ１８）、ステップ６に戻る。ただし、番組が更新された場合には、選局動作は行われず、ステップ７に移行する。
【００３９】
上記ステップ１１において、購入選択画面に基づく購入続きが行われなかった場合には、未購入である旨のメッセージを表示する（ステップ１９）。この後において、選局操作が行われた場合または番組が更新された場合には（ステップ２０）、ステップ６に戻る。ただし、番組が更新された場合には、選局動作は行われず、ステップ７に移行する。
【００４０】
なお、ＰＰＶ番組の番組情報として年齢制限の情報が含まれている場合には、利用者設定においてユーザの年齢情報をも設定しておき、当該ＰＰＶ番組の年齢制限によって視聴できないユーザに対しては、プレビューも表示させることなく、購入不可メッセージを表示させるようにしてもよい。
【００４１】
上記実施の形態では、USER1 〜USER4 それぞれに対して、電源をオンさせるための数値キーが割り当てられているが、USER1 〜USER4 それぞれに対して、個別の電源キーボタンを設けるようにしてもよい。
【００４２】
また、ＰＰＶ番組を前もって予約する場合にも、上記図４のステップ９と同様に、番組予約を行おうとするＰＰＶ番組の視聴料金が購入可能範囲内か否かを判別し、購入可能範囲内であれば当該ＰＰＶ番組の予約を許可し、購入可能範囲外である場合には当該ＰＰＶ番組の予約を禁止させるようにすればよい。そして、番組予約が行われた場合に、現在までの金額を更新するようにすればよい。
【００４３】
【発明の効果】
この発明によれば、１台のＣＳデジタルテレビ放送受信機を複数のユーザが利用する場合に、各ユーザの有料番組の購入金額の上限を設定でき、各ユーザによる有料番組の購入金額に制限をかけることができるようになる。
【００４４】
また、この発明によれば、１台のＣＳデジタルテレビ放送受信機を複数のユーザが利用する場合に、特定の一人のユーザが、他のユーザの有料番組の購入金額の上限を設定でき、他のユーザによる有料番組の購入金額に制限をかけることができるようになる。
【図面の簡単な説明】
【図１】デジタルテレビ放送受信機の構成を示すブロック図である。
【図２】利用者設定方法を説明するための模式図である。
【図３】視聴制御処理手順を示すフローチャートである。
【図４】視聴制御処理手順を示すフローチャートである。
【符号の説明】
２０  ＣＰＵ
１１  プログラムＲＯＭ
１２  ＲＡＭ
１３  ＥＥＰＲＯＭ
３０  ＩＣカード
４０  リモコン
【図１】
0003639443.tif 000002
【図２】
0003639443.tif 000003
【図３】
0003639443.tif 000004
【図４】
0003639443.tif 000005